【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
複数の活物質粒子であり前記複数の活物質粒子の各々が約１マイクロメートルと約５０マイクロメートルとの間の粒径を有する複数の活物質粒子を含むアノードであって、前記複数の活物質粒子のうちの１つ以上は、リチウムイオンを透過する膜コーティングによって囲まれ、且つ接触しており、前記膜コーティングは、環化された非プラスチックのラダー化合物になるように処理された熱可塑性ポリマーを含む、アノードと、
カソードと
前記アノードを前記カソードに結合する室温イオン性液体を含む電解質と、
を備えたエネルギー蓄積装置。
【請求項２】
前記複数の活物質粒子は、複数のシリコン粒子を含む、請求項１に記載のエネルギー蓄積装置。
【請求項３】
前記アノードは、前記複数の活物質粒子と混合された硬質炭素、グラファイト、錫、及びゲルマニウム粒子のうちの１つ以上を含む、請求項１又は２に記載のエネルギー蓄積装置。
【請求項４】
環化された非プラスチックラダー化合物になるように処理された前記熱可塑性ポリマーは、ポリアクリロニトリルを含む、請求項１から３のいずれか一項に記載のエネルギー蓄積装置。
【請求項５】
前記カソードは、遷移金属酸化物材料を含む、請求項１から４のいずれか一項に記載のエネルギー蓄積装置。
【請求項６】
前記遷移金属酸化物材料は、化学式（ｘ）Ｌｉ２ＭｎＯ２（１−ｘ）ＬｉＲ１Ｏ２を有し、このうち、Ｍｎは、Ｍｎ、Ｎｉ、Ｃｏ、及びカチオン又はアニオンドーパントのうちの少なくとも１つであり、ｘは、ゼロより大きく１未満である、請求項５に記載のエネルギー蓄積装置。
【請求項７】
前記遷移金属酸化物材料は、ニッケルリッチ酸化物材料を含む、請求項５に記載のエネルギー蓄積装置。
【請求項８】
前記遷移金属酸化物材料は、式ＬｉＲｘＭｙＯ２を有し、このうち、ＲはＮｉであり、ＭはＭｎ、Ｎｉ、Ｃｏ、Ａｌ、及びカチオン又はアニオンドーパントの少なくとも１つであり、ｘ＋ｙ＝１であり、ｘは０．３３より大きく０．９１より小さい、請求項５に記載のエネルギー蓄積装置。
【請求項９】
前記電解質は、ビスフルオロスルホニルイミド溶媒アニオン及びリチウムビスフルオロスルホニルイミド塩の少なくとも１つを含む、請求項１から８のいずれか一項に記載のエネルギー蓄積装置。
【請求項１０】
前記電解質は、フッ素化共溶媒添加剤、フッ素化リチウム化コサルト添加剤、及びリチウム金属粉末添加剤のうちの少なくとも１つを含む、請求項１から８のいずれか一項に記載のエネルギー蓄積装置。
【請求項１１】
前記電解質は、フルオロエチレンカーボネート、ジ（２、２、２トリフルオロエチル）カーボネート、リチウムヘキサフルオロホスフェート、フッ化リチウム、リチウムテトラフルオロボレート、リチウムジフルオロ（オキサラト）ボレート、リチウムジフルオロ（硫酸塩）ボレート、及び安定化されたリチウム金属粉末の少なくとも１つを含む、請求項１から８のいずれか一項に記載のエネルギー蓄積装置。
【請求項１２】
フッ素、硫黄、並びに、酸素、炭素、リン、及びリチウムの少なくとも１つを含む表面膜をさらに含み、前記カソードは、遷移金属酸化物材料を含み、前記表面膜は、実質的にすべての前記遷移金属酸化物材料を被覆し、前記電解質による前記遷移金属酸化物材料の表面劣化をブロックする、請求項１から１１のいずれか一項に記載のエネルギー蓄積装置。
【請求項１３】
前記複数の活物質粒子が複数のシリコン粒子を含む、請求項２３に記載のエネルギー蓄積装置。
【請求項１４】
前記アノードは、前記複数のシリコン粒子と混合された硬質炭素、グラファイト、錫、及びゲルマニウム粒子のうちの１つ以上を含む、請求項１３に記載のエネルギー蓄積装置。
【請求項１５】
環化された非プラスチックラダー化合物になるように処理された前記熱可塑性ポリマーは、ポリアクリロニトリルを含む、請求項２３に記載のエネルギー蓄積装置。
【請求項１６】
前記カソードは、遷移金属酸化物材料を含む、請求項２３に記載のエネルギー蓄積装置。
【請求項１７】
前記遷移金属酸化物材料は、化学式（ｘ）Ｌｉ２ＭｎＯ２（１−ｘ）ＬｉＲ１Ｏ２を有し、このうち、Ｒ１は、Ｍｎ、Ｎｉ、Ｃｏ、及びカチオン又はアニオンドーパントのうちの少なくとも１つであり、ｘは、ゼロより大きく１未満である、請求項１６に記載のエネルギー蓄積装置。
【請求項１８】
前記遷移金属酸化物材料は、ニッケルリッチ酸化物材料を含む、請求項１６に記載のエネルギー蓄積装置。
【請求項１９】
前記遷移金属酸化物材料は、式ＬｉＲｘＭｙＯ２を有し、このうち、ＲはＮｉであり、ＭはＭｎ、Ｎｉ、Ｃｏ、Ａｌ、及びカチオン又はアニオンドーパントの少なくとも１つであり、ｘ＋ｙ＝１であり、ｘは０．３３より大きく０．９１より小さい、請求項１６に記載のエネルギー蓄積装置。
【請求項２０】
前記電解質は、ビスフルオロスルホニルイミド溶媒アニオン及びリチウムビスフルオロスルホニルイミド塩の少なくとも１つを含む、請求項２３に記載のエネルギー蓄積装置。
【請求項２１】
前記電解質は、フッ素化共溶媒添加剤、フッ素化リチウム化コサルト添加剤、及びリチウム金属粉末添加剤のうちの少なくとも１つを含む、請求項２３に記載のエネルギー蓄積装置。
【請求項２２】
前記電解質は、フルオロエチレンカーボネート、ジ（２、２、２トリフルオロエチル）カーボネート、リチウムヘキサフルオロホスフェート、フッ化リチウム、リチウムテトラフルオロボレート、リチウムジフルオロ（オキサラト）ボレート、リチウムジフルオロ（硫酸塩）ボレート、及び安定化されたリチウム金属粉末の少なくとも１つを含む、請求項２３に記載のエネルギー蓄積装置。
【請求項２３】
複数の活物質粒子であり前記複数の活物質粒子の各々が約１０ナノメートルと約５００ナノメートルとの間の粒径を有する複数の活物質粒子を含むアノードであって、前記複数の活物質粒子のうちの１つ以上は、リチウムイオンを透過する膜コーティングによって囲まれ、且つ接触しており、前記膜コーティングは、環化された非プラスチックのラダー化合物になるように処理された熱可塑性ポリマーを含む、アノードと、
カソードと
前記アノードを前記カソードに結合する室温イオン性液体を含む電解質と、
を備えたエネルギー蓄積装置。
【請求項２４】
フッ素、硫黄、並びに、酸素、炭素、リン、及びリチウムの少なくとも１つを含む表面膜をさらに含み、前記カソードは、遷移金属酸化物材料を含み、前記表面膜は、実質的にすべての前記遷移金属酸化物材料を被覆し、前記電解質による前記遷移金属酸化物材料の表面劣化をブロックする、請求項２３に記載のエネルギー蓄積装置。
【請求項２５】
室温イオン性液体とフッ素化アニオンを含む電解質と、
遷移金属酸化物活物質を含むカソードと、
実質的にすべての前記遷移金属酸化物活物質上の表面膜と、を備え、
前記表面膜は、フッ素、硫黄、並びに酸素、炭素、リン、及びリチウムの少なくとも１つを含み、
前記表面膜中の前記フッ素原子の濃度が前記活物質表面の近傍で増加し、
前記表面膜は、前記電解質による前記遷移金属酸化物材料の表面劣化をブロックする、エネルギー蓄積装置。
【請求項２６】
前記遷移金属酸化物材料は、過剰リチウム化酸化物材料を含む、請求項２５に記載のエネルギー蓄積装置。
【請求項２７】
前記遷移金属酸化物材料は、化学式（ｘ）Ｌｉ２ＭｎＯ２（１−ｘ）ＬｉＲ１Ｏ２を有し、このうち、Ｒ１は、Ｍｎ、Ｎｉ、Ｃｏ、及びカチオン又はアニオンドーパントのうちの少なくとも１つであり、ｘは、ゼロより大きく１未満である、請求項２５に記載のエネルギー蓄積装置。
【請求項２８】
前記遷移金属酸化物材料が、ニッケルリッチ酸化物材料を含む、請求項２５に記載のエネルギー蓄積装置。
【請求項２９】
前記遷移金属酸化物材料は、式ＬｉＲｘＭｙＯ２を有し、このうち、ＲはＮｉであり、ＭはＭｎ、Ｎｉ、Ｃｏ、Ａｌ、及びカチオン又はアニオンドーパントの少なくとも１つであり、ｘ＋ｙ＝１であり、ｘは０．３より大きく０．９より小さい、請求項２５に記載のエネルギー蓄積装置。
【請求項３０】
前記電解質は、ビスフルオロスルホニルイミド溶媒アニオン及びリチウムビスフルオロスルホニルイミド塩の少なくとも１つを含む、請求項２５から２９のいずれか一項に記載のエネルギー蓄積装置。
【請求項３１】
前記電解質は、フッ素化共溶媒添加剤、フッ素化リチウム化コサルト添加剤、及びリチウム金属粉末添加剤のうちの少なくとも１つを含む、請求項２５から２９のいずれか一項に記載のエネルギー蓄積装置。
【請求項３２】
前記電解質は、フルオロエチレンカーボネート、ジ（２、２、２トリフルオロエチル）カーボネート、リチウムヘキサフルオロホスフェート、フッ化リチウム、リチウムテトラフルオロボレート、リチウムジフルオロ（オキサラト）ボレート、リチウムジフルオロ（硫酸塩）ボレート、及び安定化されたリチウム金属粉末の少なくとも１つを含む、請求項２５から２９のいずれか一項に記載のエネルギー蓄積装置。
【請求項３３】
カソードと、
アノードと、
室温イオン性液体とリチウム金属粉末添加剤とを含む電解質と、を備え、前記リチウム金属粉末添加剤は、前記エネルギー蓄積装置の放電及び再充電中に前記アノードとイオン化及び反応するように構成されている、
エネルギー蓄積装置。
【請求項３４】
前記電解質は、ピロリジニウム溶媒カチオンをさらに含む、請求項３３に記載のエネルギー蓄積装置。
【請求項３５】
前記電解質は、ビスフルオロスルホニルイミド溶媒アニオン及びリチウムビスフルオロスルホニルイミド塩の少なくとも１つを含む、請求項３３に記載のエネルギー蓄積装置。
【請求項３６】
前記リチウム金属粉末添加剤は、空気中で化学的に安定しており、炭酸塩コーティング中で安定化されたリチウム金属を備える、請求項３３から３５のいずれか一項に記載のエネルギー蓄積装置。